(57)【要約】【課題】深放電により電池が劣化することがなく、また、電池切れにより不意にライトが消灯されることのないライト付き電動工具を提供する。【解決手段】ライト付き電動工具におけるライトへの通電制御を、ライトを点灯中に電池電圧が所定のライト消灯用閾値ＶＬにまで低下するとライトを所定時間点滅させた後に消灯させるものとする。また、先端工具を駆動するモータを停止させる為の閾値を上記ライト消灯用閾値ＶＬよりも高く設定し、ライトが消灯する前に作業を終了させるようにしてもよい。【選択図】        図１
2004291135.tif 000002
【特許請求の範囲】
【請求項１】
先端工具を駆動するモータと、作業箇所に向けて光を照射するライトと、モータ及びライトに電力を供給する電池部と、モータの運転及びライトの点灯を制御する制御部とを具備するライト付き電動工具において、前記制御部を、ライトを点灯中に電池部の電圧が所定のライト消灯用閾値にまで低下すると該ライトを消灯させるものとしたことを特徴とするライト付き電動工具。
【請求項２】
制御部を、電池部の電圧がライト消灯用閾値にまで低下するとライトを所定時間点滅させた後に消灯させるものとしたことを特徴とする請求項１記載のライト付き電動工具。
【請求項３】
制御部を、電池部の電圧がライト消灯用閾値にまで低下するとライトを所定時間の間で漸次出力低下させた後に消灯させるものとしたことを特徴とする請求項１又は２記載のライト付き電動工具。
【請求項４】
制御部を、モータを運転中に電池部の電圧がライト消灯用閾値とは別の閾値である所定のモータ停止用閾値にまで低下すると該モータを停止させるものとしたことを特徴とする請求項１〜３のいずれか記載のライト付き電動工具。
【請求項５】
制御部を、モータを運転中と停止中とでライト消灯用閾値を相違させるものとしたことを特徴とする請求項１〜４のいずれか記載のライト付き電動工具。
【請求項６】
制御部を、電池部の放電電流値に応じてライト消灯用閾値を変更するものとしたことを特徴とする請求項１〜４のいずれか記載のライト付き電動工具。
【請求項７】
使用者による操作情報を制御部に入力してモータ及びライトを制御させる操作手段を備えるとともに、制御部を、ライトを点灯中に操作手段からの操作情報の不入力が所定時間継続するとライトを点滅させるものとしたことを特徴とする請求項１〜６のいずれか記載のライト付き電動工具。
【発明の詳細な説明】
【０００１】
【発明の属する技術分野】
本発明は、電動ドリルドライバ等の電動工具にライトを備えて成る、ライト付き電動工具に関する。
【０００２】
【従来の技術】
従来から、夜間や天井裏等の暗所での作業を容易にするために充電式の電動工具にライトを備えたものが提案されている（特許文献１参照）。しかしながら、上記のような従来のライト付き電動工具においては、電池切れによりライトが消灯されるまで深放電させると電池が劣化してしまうといった問題点があった。また、暗所でライトを点灯させている最中に電池切れにより不意にライトが消灯されると、暗所から戻るのに明かりがなく危険が伴うといった問題点があった。
【０００３】
【特許文献１】
特開平１０−３４５６５号公報
【０００４】
【発明が解決しようとする課題】
本発明は上記の点に鑑みてなされたものであり、深放電により電池が劣化することのない、また、電池切れにより不意にライトが消灯されることのないライト付き電動工具を提供することを課題とするものである。
【０００５】
【課題を解決するための手段】
上記課題を解決するために本発明を、先端工具１０を駆動するモータ５と、作業箇所に向けて光を照射するライト８と、モータ５及びライト８に電力を供給する電池部４と、モータ５の運転及びライト８の点灯を制御する制御部６とを具備するライト付き電動工具１において、前記制御部６を、ライト８を点灯中に電池部４の電圧が所定のライト消灯用閾値ＶＬにまで低下すると該ライト８を消灯させるものとしたことが特徴のものとする。このようにすることで、電池切れとなるまでライト８が点灯され続けることがなくなるので、ライト８への低電圧での通電によって深放電となり電池部４の劣化を招くといったことが防止されるものである。
【０００６】
また、前記制御部６を、電池部４の電圧がライト消灯用閾値ＶＬにまで低下するとライト８を所定時間Ｔ１点滅させた後に消灯させるものとしてもよい。このようにした場合、暗所でライト８を点灯させている最中に点滅によってライト８の消灯が近いことが通知されるので暗所から戻る際に明かりがなく危険を伴うといったことが防止されるとともに、電池部４の電圧の消耗を抑制することができるものである。
【０００７】
また、前記制御部６を、電池部４の電圧がライト消灯用閾値ＶＬにまで低下するとライトを所定時間Ｔ２の間で漸次出力低下させた後に消灯させるものとしてもよい。このようにした場合、暗所でライト８を点灯させている最中に出力低下によってライト８の消灯が近いことが通知されるので暗所から戻る際に明かりがなく危険を伴うといったことが防止されるとともに、電池部４の電圧の消耗を抑制することができるものである。
【０００８】
また、前記制御部６を、モータ５を運転中に電池部４の電圧がライト消灯用閾値ＶＬとは別の閾値である所定のモータ停止用閾値ＶＭにまで低下すると該モータ５を停止させるものとしてもよい。このようにした場合、電池切れとなるまでモータ５が運転されて深放電により電池部４の劣化を招くことが防止されるとともに、モータ停止用閾値ＶＭをライト消灯用閾値ＶＬよりも高い値に設定すればモータ５が停止した後もライト８が消灯された状態で暗所から戻ることができて安全が確保されるものである。
【０００９】
また、前記制御部６を、モータ５を運転中と停止中とでライト消灯用閾値ＶＬを相違させるものとしてもよい。この場合、モータ５を運転中のライト消灯用閾値ＶＬを、モータを停止中のそれよりも低くなるように設定すれば、モータ５を運転中には、仮に該モータ５の起動時やロック時に大電流が発生して電圧が大幅に低下してもライト８が消灯されることは防止されるとともに、モータ５を停止した後には、ライト８点灯用の小電流による深放電が防止されるものである。
【００１０】
また、前記制御部６を、電池部４の放電電流値に応じてライト消灯用閾値ＶＬを変更するものとしてもよい。この場合、ライト消灯用閾値ＶＬを、放電電流値が大きな場合は高くなり放電電流値が小さな場合は低くなるように設定すれば、電池部４の放電中に急激な負荷により大電流が発生して電圧が低下してもライト８が消灯されることがなくなると同時に、小電流による深放電が防止されるものである。
【００１１】
また、使用者による操作情報を制御部６に入力してモータ５及びライト８を制御させる操作手段を備えるとともに、制御部６を、ライト８を点灯中に操作手段からの操作情報の不入力が所定時間Ｔ３継続するとライト８を点滅させるものとしてもよい。このようにした場合、長時間使用されない場合にはライト８への通電が抑制されて電池部４の電圧の消耗が防止されるものである。
【００１２】
【発明の実施の形態】
以下、本発明を添付図面に示す実施の形態に基づいて説明する。図２及び図３には、本発明の実施の形態における一例のライト付き電動工具１を示している。本例のライト付き電動工具１は、モータ５を内蔵する円筒型の本体部２の側周部から握り部３を延設するとともに、握り部３の先端には電池パックである充電式の電池部４を着脱自在に装着することでその主体を構成した、充電式の電動ドリルドライバである。本体部２にはＬＥＤ１１を用いたライト８を設置しており、このライト８により作業箇所に向けて光が照射されるものである。なお、モータ５及びライト８の電力は電池部４から供給されるようになっている。
【００１３】
握り部３には、モータ５の運転及びライト８の点灯を制御する制御部６を内蔵しており、握り部３の根元部分に設けたスイッチトリガー７の操作情報が制御部６に入力されると、制御回路６がこの操作情報に基づいてモータ５への電池部４からの通電を制御することで該モータ５の運転を制御するようになっている。モータ５は、その動力が本体部２内の減速機９を介して本体部２の先端に装着した先端工具１０にまで伝達されることで、該先端工具１０を回転駆動するものである。また、ライト用スイッチ（図示せず）からの操作情報が制御部６に入力されると、制御部６がこの操作情報に基づいて電池部４からライト８への通電を制御して、ライト８の点灯を制御するようになっている。
【００１４】
図１に示すように、モータ５及びライト８に通電していると電池部４の電圧は漸次低下していくが、制御部６が、この電圧が所定のライト消灯用閾値ＶＬにまで低下したことを検知すると、まずライト８を所定時間Ｔ１だけ点滅させた後に、完全に消灯させる。本例においては、ライト８が突然消灯すると暗所で危険な状態に陥る可能性があることを考慮して上記のようにしているが、電池部４の電圧がライト消灯用閾値ＶＬにまで低下した時点でＬＥＤ１１への通電停止によりライト８を消灯させるようにしてもよい。
【００１５】
このようにすることで、モータ５が停止してライト８が消灯するに至るまで電池部４が深放電することが防止され、電池部４の劣化が防止される。また、ライト８の点滅により使用者はライト８の消灯が近いことを知り消灯前に暗所から戻ることができるとともに、ライト８での電力消費を抑制することができる。
【００１６】
また、制御部６によるライト８の点灯の制御を、図５に示すようにすることも好適である。この場合、制御部６によって、電池部４の電圧がライト消灯用閾値ＶＬにまで低下すると、所定時間Ｔ２の間はＰＷＭ制御によりライト８を漸次出力低下させて照度を落していき、その後に完全に消灯させるものとしている。この場合においても、電池部４の深放電が防止されることは勿論、ライト８の照度低下により使用者にライト８の消灯が近いことを通知することができるとともに、ライト８での電力消費を抑制することができる。
【００１７】
また、制御部６によるライト８の点灯の制御を、図６に示すようにすることも好適である。この場合、ライト消灯用閾値ＶＬとは別の閾値として、ライト消灯用閾値ＶＬより高い閾値であるモータ停止用閾値ＶＭを設け、制御部６によって、モータ５及びライト８への通電により電池部４の電圧がモータ停止用閾値ＶＭにまで低下すると、回路中のＦＥＴ１２（図４参照）の制御信号をＬＯＷに落すことによってモータ５への通電を遮断して運転を停止させるようにしている。制御部６によりモータ５の運転停止後もライト８への通電は継続され、電池部４の電圧は放電電流の減少により一旦は上昇するものの、その後はライト８への通電により漸次低下を続け、電圧がライト消灯用閾値ＶＬにまで低下した時点でライト８を消灯するようになっている。このような制御の場合、使用者はモータ５の停止によりライト８の消灯が近いことを通知されて消灯前に暗所から戻ることができるとともに、ライト８も深放電となる前に消灯されるので電池部４の劣化が防止される。なお、この場合においても更に、電池部４の電圧がライト消灯用閾値ＶＬにまで低下した後に所定時間点滅させてから消灯させるようにしても構わないし、所定時間の間に漸次出力低下させてから消灯させるようにしても構わない。
【００１８】
また、制御部６によるライト８の点灯の制御を、図７に示すようにすることも好適である。この場合、ライト消灯用閾値ＶＬを、モータ５を運転中の場合と停止中の場合とで相違させており、モータ５を運転中のライト消灯用閾値ＶＬ１が、モータ５を停止中のライト消灯用閾値ＶＬ２よりも低い閾値となるように設定している。なお、上記の閾値ＶＬ１と閾値ＶＬ２を共にモータ停止用閾値ＶＭよりも低い値に設定することは勿論である。制御部６による制御を上記のようにすることで、モータ５を運転中には該モータ５の起動時やロック時に大電流が発生して一時的に電圧が大幅に低下することがあるが、この際にライト８を消灯してしまうことが防止される。また、モータ５を停止した後はライト８を点灯する為の小電流による深放電が防止されるものである。
【００１９】
また、図９に示すように回路中に電流検出抵抗１３を設けて電池部４の放電電流値が検出されるようにするとともに、制御部６によるライト８の点灯の制御を、図８に示すようにすることも好適である。この場合、電流検出抵抗１３の電圧が制御部６に入力されるとともに該制御部６内のマイコンにて電流値が測定され、この電流値（即ち電極部４の放電電流値）に応じてライト消灯用閾値ＶＬが決定される。具体的には、ライト消灯用閾値ＶＬが、モータ停止用閾値ＶＭよりも低い範囲内で、放電電流値が大きな場合は低くなり放電電流値が小さな場合は高くなるように適宜変更されるようにしている。制御部６による制御を上記のようにすることで、電池部４の放電中に急激な負荷により大電流が発生して電圧が低下する場合にライト８を消灯してしまうことが防止され、同時に、小電流による深放電が防止されるものである。
【００２０】
また、制御部６によるライト８の点灯の制御を、図１０に示すようにすることも好適である。本例においては、スイッチトリガー７及びライト用スイッチが、使用者による操作情報を制御部６に入力してモータ５及びライト８を制御させる操作手段となっているが、ライト８を点灯中には制御部６内のマイコンにて上記操作手段の最終入力からの時間を計測し、この時間が所定時間Ｔ３を超えた時点で、ＬＥＤ１１への供給電流をパルス状に切替えてライト８を点滅させる。このように、操作手段からの操作情報の不入力が所定時間Ｔ３だけ継続した場合にはライト８を点滅させることで、電池部４の電圧の消耗が防止されるものである。
【００２１】
【発明の効果】
上記のように請求項１記載の発明にあっては、電池切れとなるまでライトが点灯され続けることがなくなるので、ライトへの低電圧での通電によって深放電となり、電池部の劣化を招くといった事態が防止されるという効果がある。
【００２２】
また、請求項２記載の発明にあっては、請求項１記載の発明の効果に加えて、暗所でライトを点灯させている最中に点滅によってライトの消灯が近いことが通知されるので暗所から戻る際に明かりがなく危険を伴うといったことが防止されるという効果がある。また、電池部の電圧の消耗を抑制することができるという効果がある。
【００２３】
また、請求項３記載の発明にあっては、請求項１又は２記載の発明の効果に加えて、暗所でライトを点灯させている最中に出力低下によってライトの消灯が近いことが通知されるので暗所から戻る際に明かりがなく危険を伴うといったことが防止されるという効果がある。また、電池部の電圧の消耗を抑制することができるという効果がある。
【００２４】
また、請求項４記載の発明にあっては、請求項１〜３のいずれか記載の発明の効果に加えて、電池切れとなるまでモータが運転されて深放電により電池部の劣化を招くことが防止されるという効果がある。また、モータ停止用閾値をライト消灯用閾値よりも高く設定すれば、モータが停止した後もライトが消灯された状態で暗所から戻ることができて安全が確保されるという効果がある。
【００２５】
また、請求項５記載の発明にあっては、請求項１〜４のいずれか記載の発明の効果に加えて、モータを運転中のライト消灯用閾値を、モータを停止中のそれよりも低くなるように設定すれば、モータの起動時やロック時の大電流発生により電圧が大幅に低下してライトが消灯されることがなくなるという効果がある。また、モータを停止した後はライト点灯用の小電流による深放電が防止されるという効果がある。
【００２６】
また、請求項６記載の発明にあっては、請求項１〜４のいずれか記載の発明の効果に加えて、ライト消灯用閾値を、放電電流値の大きな場合は高くなり放電電流値の小さな場合は低くなるように設定すれば、電池部の放電中に急激な負荷により大電流が発生して電圧が低下してもライトが消灯されることがなくなるという効果がある。また、小電流による深放電が防止されるという効果がある。
【００２７】
また、請求項７記載の発明にあっては、請求項１〜６のいずれか記載の発明の効果に加えて、長時間使用されない場合にはライトへの通電が抑制されて電池部の電圧の消耗が防止されるという効果がある。
【図面の簡単な説明】
【図１】本発明の実施の形態における一例のライト付き電動工具の制御方法を示す説明図である。
【図２】同上のライト付き電動工具の概略側面図である。
【図３】同上のライト付き電動工具の内部構造を示す説明図である。
【図４】同上のライト付き電動工具の概略結線図である。
【図５】同上のライト付き電動工具の別の制御方法を示す説明図である。
【図６】同上のライト付き電動工具のまた別の制御方法を示す説明図である。
【図７】同上のライト付き電動工具のまた別の制御方法を示す説明図である。
【図８】同上のライト付き電動工具のまた別の制御方法を示す説明図である。
【図９】同上のライト付き電動工具の概略結線図である。
【図１０】同上のライト付き電動工具のまた別の制御方法を示す説明図である。
【符号の説明】
１  ライト付き電動工具
４  電池部
５  モータ
６  制御部
８  ライト
１０  先端工具
ＶＬ  ライト消灯用閾値
ＶＭ  モータ停止用閾値
【図１】
2004291135.tif 000003
【図２】
2004291135.tif 000004
【図３】
2004291135.tif 000005
【図４】
2004291135.tif 000006
【図５】
2004291135.tif 000007
【図６】
2004291135.tif 000008
【図７】
2004291135.tif 000009
【図８】
2004291135.tif 000010
【図９】
2004291135.tif 000011
【図１０】
2004291135.tif 000012